(57)【要約】      （修正有）【課題】防寒性の高いエプロンで、薄着でも腰下部分を暖かく保ち、軽く、軽作業時の脱着が容易な作業用エプロンを提供する。【解決手段】防寒性を高める為に、一面を起毛した軽い生地（フリース生地・ボア生地のような保温性が高く、暖かさを保つことが出来る生地等）、他面は経緯の密度を吋間で１９０本〜２１０本とした糸密度の高い平織り生地で冷気を通しにくく、表面が滑りやすくて軽い合成繊維シート生地（ポリエステルタフター生地・ナイロンタフター生地、通気性のない合成樹脂シート生地等）とを２枚重ね合わせた構造により形成される空気層により、防寒性と防塵機能を兼ね備えている。また、可撓性を有する環状の装着部材２を備えているため、軽作業時の脱着が簡単である。【選択図】図１
0003200026.tif 000002
【実用新案登録請求の範囲】
【請求項１】
人体に脱着可能な装着部材を備えた作業用エプロンであって、一面が起毛している生地と他面が合成繊維生地及び合成樹脂シート生地とを使用している事を特徴とする作業用エプロン。
【請求項２】
一面はフリース生地及びボア生地の少なくとも一方を使用している事を特徴とした請求項１に記載の作業用エプロン。
【請求項３】
他面の合成繊維生地はナイロンタフター生地、ポリエステルタフター生地、及び合成樹脂シートの少なくとも一つである事を特徴とする請求項１又は２に記載の作業用エプロン。
【請求項４】
装着部材は可撓性を有し、一部が欠落して環状をなしている事を特徴とした請求項１及至３の何れか一項に記載の作業用エプロン。
【請求項５】
装着部材は、脱着可能であることを特徴とする請求項１及至４の何れか一項に記載の作業用エプロン。
【考案の詳細な説明】
【技術分野】
【０００１】本考案は、冬季倉庫・屋外での作業時に使用する作業用エプロン。
【背景技術】
【０００２】従来、倉庫・屋外での作業時は衣服に汚れが付着しないようにエプロンを身につけて使用する方法が取られている。
例えば、特許文献１によれば、水を使用した作業の際、作業者が着用する作業用エプロンが提案されているが防寒の目的としてではなく衣服の汚れを防止されるものとして提案さされている。
【先行技術文献】
【特許文献】
【０００３】
【特許文献１】  実用新案登録第３１８３４０５号
【考案の概要】
【考案が解決しようとする課題】
【０００４】冬季の倉庫・屋外での作業をする際、防寒のために、衣服等を沢山着用する事が多く、この上からエプロンをすることにより厚着のため作業の動きが悪くなったりして、怪我等の災害を発生することがある、この為、防寒性の高いエプロンで、薄着でも腰下部分を暖かく保ち、軽く、軽作業時の脱着が容易な作業用防寒エプロンが要望されていた。
【課題を解決するための手段】
【０００５】本考案は防寒性を高める為に、一面を起毛した軽い生地（フリース生地・ボア生地のような保温性が高く、暖かさを保つことが出来る生地等）、他面は経緯の密度を吋間で１９０本〜２１０本とした糸密度の高い平織り生地で冷気を通しにくく、表面が滑りやすくて軽い合成繊維シート生地（ポリエステルタフター生地・ナイロンタフター生地、通気性のない合成樹脂シート生地等）とを２枚重ね合わせた構造により形成される空気層により、防寒性と防塵機能を兼ね備えた事で問題点を解決している。
また、可撓性を有する環状の装着部材、例えば合成樹脂製の物であり、脱着が簡単で洗濯時容易に取り外す事が出来る事で問題点を解決している。
【考案の効果】
【０００６】本考案の作業用エプロンの場合、一面を起毛した軽い生地（フリース生地・ボア生地等）と他面は経緯の密度を吋間に１９０本〜２１０本とした糸密度の高い平織り生地等で冷気を通しにくく、表面が滑りやすくて軽い合成繊維生地（ポリエステルタフター生地・ナイロンタフター生地、通気性のない合成樹脂シート生地等）とを２枚重ね合わせ構造により、保温性が高く薄着でも腰下部分を暖かく保つことが出来る。
【図面の簡単な説明】
【０００７】
【図１】作業用エプロンの斜視図である。
【図２】作業用エプロンの平面展開図である。
【図３】可撓性のある装着部材の斜視図である。
【図４】２重合わせの構造図である。
【図５】作業用エプロンを着用した状態を示す斜視図である。
【考案を実施するための形態】
【０００８】以下、本考案の実施の形態を図面に基づき記述する。
【０００９】図１は、本考案の作業用エプロン１の全体を示しており、可撓性を有する環状の装着部材２が挿入部分５に挿入され、作業エプロン１の上部を袋状に縫着した１０に収納した状態を示し、収納された装着部材２は実線で示している。また、脱落防止用のベルト２０と２１は使用者の正面にて結んだ状態を示している。
【００１０】挿入部分５は、作業エプロン１の上部を折り返しにより袋状に逢着した１０の起毛した生地面の右端下部にあって、袋状の両端部分は脱落防止ベルトと一緒に逢着されている。
【００１１】図２は作業用エプロンの平面展開図で、（ａ）表面（ｂ）裏面を示しており、図２（ｂ）は着用時装着部材２の両端部１１及び１２を広げた状態を実線で示している。
【００１２】図３は装着部材２を示しており、可撓性を有し一部が欠落したＣ字の形状であり、圧力を加える事で欠落部分が広がって容易に撓む、人体に装着した時には、弾性復元力により人体に沿った装着が可能である。
【００１３】装着部材２（図３）の形は、一部が欠落している形状であれば円・楕円の物でも良くＣ字の形状でなくても良い。
【００１４】図４は２重合わせの構造でＡ‐Ａの断面を示しており、表面１−１は経緯の密度を吋間に１９０本〜２１０本とした糸密度の高い平織り生地等で冷気を通しにくく、表面が滑りやすくて軽い合成繊維生地（ポリエステルタフター生地・ナイロンタフター生地、通気性のない合成樹脂シート等）であり、裏面１−２は起毛した軽い生地（フリース生地・ボア生地等）との２重合わせになっていることを示している。
【００１５】作業用エプロン本体１には２０と２１の作業用エプロンの脱落防止ベルト、例えば合成繊維の織り生地で軽く結びやすい帯状の紐を縫着している、これは重作業を行う際に作業用エプロンが脱落しないように前で結べる様にしている。
【００１６】軽作業時とは、体力をあまり必要としない作業比較的重量の軽いものを扱う作業であり、重作業とは体力を必要とする作業で重量のあるもの扱う作業を指す。
【００１７】脱落防止ベルトは合成繊維の織り生地に限定されず、例えば綿編みもしくは織り生地・合成繊維編み生地等を用いても良い
【００１８】作業用エプロン本体１には、ベルト留め具３及び４を縫着し、ベルト留め具３には熱可塑性樹脂のＤカンを縫着し鍵、バーコードスキャナー等の作業部材を収納出来るようにしている。
【００１９】作業用エプロン本体１には、１−１に使用している生地を用いたポケットを縫着し、作業部材等を収納出来るようにしている。
【００２０】作業用エプロンを使用する場合は、作業用エプロン１と装着部材２を準備し、作業用エプロンの上部を折り返して逢着した袋状の１０にある挿入部分５に装着部材２の一端部を挿入し１０の内部に装着部材２の全てを挿入する。
【００２１】この状態で作業用エプロンの上部はＣ字環状に形成される。その後装着部材２の一部欠落している部分の両端を手で広げて使用者の腰部分に装着する。
【００２１】使用者の腰部分に装着した後、使用者が手を離すと装着部材２は弾性復元力で使用者の腰部分を囲む形となる。
【００２２】次いで、脱落防止ベルト２０・２１を使用者の腰部分に巻きつけ２０を留め具４に通し２１を留め具３に通して前で結ぶように装着する。
【００２３】  本考案の作業用エプロンの場合、一面を起毛した軽い生地（フリース生地・ボア生地等）と他面は経緯の密度を吋間に１９０本〜２１０本とした糸密度の高い平織り生地等で冷気を通しにくく、表面が滑りやすくて軽い合成繊維生地（ポリエステルタフター生地・ナイロンタフター生地、通気性のない合成樹脂シート生地等）とを２枚重ね合わせ構造により、保温性が高く薄着でも腰下部分を暖かく保つことが出来る。
また、可撓性を有する環状の装着部材、例えば合成樹脂製の物を備えているため軽作業時の脱着が容易で使用者の取り扱いが簡単である、また、重作業時、装着部材だけでは作業用エプロンが脱落する事があるため、脱落防止用のベルト、例えば合成繊維の織り生地で軽くて結びやすい帯状の紐を備えることにより使用状況の変化に即応する事が可能である。
【符号の説明】
【００２４】１            作業用エプロン本体
２            可撓性のある装着部材
３            作業用エプロンに脱落防止ベルトを留める留め具、熱可塑性樹脂のＤカン              を縫着している。
４            作業用エプロンに脱落防止ベルトを留める留め具
５            装着部材の挿入部分
１０          可撓性のある装着部材を収納する袋状部分
１１  、１２  装着部材の両端部
２０  、２１  脱落防止ベルト左右
【図１】
0003200026.tif 000003
【図２】
0003200026.tif 000004
【図３】
0003200026.tif 000005
【図４】
0003200026.tif 000006
【図５】
0003200026.tif 000007